(57)【特許請求の範囲】
【請求項１】
シート媒体をマーキングする装置であって、シート媒体（Ｐ）を対応した弓形形状に支持するように構成されている弓形内面（12ａ）を備えている回転可能なドラム（12）と、
前記ドラム（12）の内部にあって、前記シート媒体（Ｐ）の上にマークを生ずることができるプリントヘッド（14）と、
前記回転可能なドラム（12）の内部に存在し、前記プリントヘッド（14）を所定の回転の向きに保持するように配設されているプリントヘッド支持体（16、18、20）と、
第１の軸（Ａ）を中心に前記ドラム（12）に選択的な回転をもたらし、従って前記プリントヘッド（14）を中心に前記シート媒体（Ｐ）に回転をもたらし、前記ドラム（12）の回転により画成されたプリント列内における前記シート媒体（Ｐ）のマーク付けを提供するように、前記ドラム(12)に作動可能に接続されたドラム駆動装置（22）と、から構成され、
前記ドラム（12）が、前記シート媒体（Ｐ）が中に挿入され、かつ排出されるスロット（12ｂ）を画成しており、
前記ドラム（12）と作動的に関連している媒体前進機構（28、30、32、34）であって、前記シート媒体（Ｐ）を把握して所定のシート媒体経路を経て前記シート媒体（Ｐ）を案内することが可能な可動シュー（28ａ）を具備している媒体前進機構を有するシート媒体マーキング装置。
【請求項２】
前記プリントヘッド支持体（16、18、29）が前記プリントヘッド（14）を保持するキャリッジ（16) を備えており、
該キャリッジ（16) が前記第１の軸（Ａ）に平行なトラック（18) に沿って漸進的に運動するように構成されている請求項１に記載の装置。
【請求項３】
前記キャリッジ（16）の各漸進的な運動が、回転によって画成される独立したプリント列を提供する請求項２に記載の装置。
【請求項４】
前記プリントヘッド支持体（16、18、20）が、前記キャリッジ（16）に作動的に関連して、前記トラック（18）に沿った前記キャリッジ（16）の運動を案内するねじ駆動装置（18、20）を備えている請求項２に記載の装置。
【請求項５】
前記シート媒体（Ｐ）の対応した運動を案内するために、前記ドラム（12）の内面（12ａ）に沿った前記シュー（28ａ）の運動を許容する軸受装置（30、32、34）を介して、前記シュー（28ａ）が前記ドラム（12）と結合されている請求項１に記載の装置。
【請求項６】
前記軸受装置（30、32、34）が、前記シュー（28ａ）の双方向運動に対応し、
前記シュー（28ａ）の第１の方向の運動は前記ドラム（12）への前記シート媒体（Ｐ）の挿入をもたらし、第２の方向の運動は前記ドラム（12）からの前記シート媒体（Ｐ）の排出をもたらす請求項５に記載の装置。
【請求項７】
前記ドラム（12）が、前記シート媒体（Ｐ）の通過を制限するが前記シュー（28ａ）の通過を許容する止め（12ｃ）を備えている請求項６に記載の装置。
【請求項８】
前記止め（12ｃ）が、前記第１の方向で前記シート媒体（Ｐ）の所定の運動を行うと前記シート媒体（Ｐ）の先端部との係合により前記シート媒体（Ｐ）の挿入を制限するように位置決めされていて、前記シュー（28ａ）は、
前記止め（12ｃ）と該シュー（28ａ）との間で前記シート媒体（Ｐ）を緊張させるために前記シート媒体（Ｐ）の末端部に係合すべく前記第１の方向に継続した運動が可能であり、
前記シート媒体（Ｐ）を前記ドラム（12）の内面（12ａ）に押しつけている請求項７に記載の装置。
【請求項９】
シート媒体（Ｐ）が沿って通る経路を画成し、マーカー（14）とシステムシャーシ（38）に作動可能に取り付けられている対向シート支持プラテン（12）とを備えているシート媒体マーキング装置であって、
前記シート媒体経路を横断して延在する略平面状のブレード（28ｂ）、および
前記ブレード（28ｂ）から突出し、前記シート媒体経路に沿って移送される前記シート媒体（Ｐ）を把握可能な摩擦面を備えている前記シュー（28ａ）を有する把握部材（28）と、前記シート媒体経路に沿って前記把握部材（28）の運動、ひいては前記シート媒体（Ｐ）の運動に備えて前記システムシャーシ（38）と前記把握部材（28）との間に作動可能に挿設された軸受装置（30、32、34）と、から成る媒体前進機構を有するシート媒体マーキング装置。
【請求項１０】
前記軸受装置（30、32、34）が、前記シート媒体経路に沿う前記把握部材（28）の双方向運動に対応し、第１の方向の前記把握部材（28 ）の運動が、前記プラテン（12）へと前記シート媒体を配置し、
第２の方向の運動が、前記プラテン（12）から前記シート媒体（Ｐ）を除去する請求項９に記載の装置。
【請求項１１】
前記プラテン（12）が、楕円状シート媒体経路を少なくとも部分的に画成する弓形凹面（12ａ）により画成されており、
前記プラテンが、前記シート媒体（Ｐ）の通過を制限するが前記把握部材（28）の通過を許容する止め（12ｃ）を備えている請求項９に記載の装置。
【請求項１２】
前記止め（12ｃ）が、前記第１の方向における前記シート媒体（Ｐ）が所定の運動を行うと前記シート媒体（Ｐ）の先端部との係合により前記シート媒体（Ｐ）の挿入を制限するように位置決めされ、
前記把握部材（28）が、第１の方向で所定の運動を行って前記シート媒体（Ｐ）の末端部と係合し、前記プラテン（12）の弓形面（12ａ）に前記シート媒体（Ｐ）を押しつけることが可能である請求項１１に記載の装置。
【請求項１３】
前記弓形プラテン（12）が、前記マーカー（14）の周りに回転するように構成されている請求項１２に記載の装置。
【請求項１４】
前記プラテン（12）の回転により画成された列の中のマーキングを提供するために、その回転軸を中心にした前記プラテン（12）の選択的な回転をもたらし、従って、前記プラテン（12）により支持されている前記シート媒体（Ｐ）の、前記プリントヘッド（14）を中心にする回転をもたらすように前記プラテン（12）に作動可能に連結されているプラテン駆動装置（22）をさらに備えている請求項１３に記載の装置。
【請求項１５】
前記マーカー（14）を所定の回転の向きに保持するが、前記プラテン回転軸（Ａ）に平行な軸に沿う漸進的な運動を許容するように配設されているマーカー支持体（16、18、20）をさらに備えており、
前記マーカー（14）の各漸進的運動が、独立した列における前記シート媒体（Ｐ）のマーク付けに対応している請求項１４に記載の装置。
【発明の詳細な説明】
【０００１】
【産業上の利用分野】
本発明は、一般にマーキング装置に関し、更に詳細には、シート媒体をプリントヘッドの周りに回転させることができるプラテンを採用したシート媒体マーキング装置に関する。本発明は、その内部がドラム内に包含されているプリントヘッドによりマーキングを行なうためシート媒体を支持するプラテンとして役立つ回転可能なドラムを使用することにより達成される。この技術分野における関係技術者等は本発明のマーキング装置が広い効用を有し、インクプリンタ、レーザープリンタ、複写機、のような装置、または実質上そこにおいてマーキングがシート上に示されることになっている他のどんな装置、をも含む各種マーキング装置において有用であることを認めるであろう。しかし、簡潔のため、本発明の装置をここでは、それが特に有用であると信じられている、インクジェットプリンタに関してのみ説明する。
【０００２】
【従来の技術】
通常のインクジェットプリタでは、インクはプリントヘッドがシートを横断して通過するにつれてインクをシート媒体に押し出すように構成されている往復動プリントヘッドによりシート媒体上に付着される。シート媒体はローラー（またはベルト）装置を使用しているプリンタを経て供給され、この装置は一般に隣接する給紙トレイから連続的にシートを引き出すように設計されている。各シートは供給経路に沿って、シートの少なくとも一部をプリントヘッドから所定距離で支持するプラテンに導かれる。プリントヘッドはその移動により形成される長い列状のマーキングをシート上に記しながら、シートの表面を横断して駆動される。このようなプリント列が完成すると、シートはローラー装置により前進させ、新しいプリント列を受け入れるようにシートを位置決めする。一旦印刷が完成されると、各シートは排紙トレイに排出される。
【０００３】
【発明が解決しようとする課題】
前述した形式のプリンタ装置が有効なものであっても、改良の余地が残ってる。例えば設計者等は長い間印刷の質を落とさずにシート媒体処理量の割合を増加させる方法を探してきた。彼等設計者は一般にインク付着の正確さを増すことに重点を置き、プリントヘッドの各往復運動に固有の時間の損失を見逃して来た。この技術分野の関係技術者等は、このプリントヘッドの往復運動にはプリントヘッド走行の方向に繰り返される変動を伴ない、従って、プリントヘッドの制動および加速の繰り返しを伴なうことを正しく認識されるであろう。この往復運動は電力の最適利用を妨げ、さらに、望ましくない振動および騒音まで問題を波及させている。それ故、本発明の概括的な目的はプリンタのプリントヘッドの往復運動を最小限にするシステムを提供することである。更に詳細に述べれば、本発明は既知のプリンタと比較してシート媒体処理量を増大し、電力の利用を改善し、振動および騒音を減少する為の提案を意図している。
【０００４】
【課題を解決するための手段】
本発明のシート媒体マーキングシステムは、シート媒体のマーキング中、シートを本装置のプリントヘッド（またはマーカー）の周りに回転駆動するように構成されたシート支持プラテンを設けることによりこれらの問題に対処している。好ましいプラテンは、その内部がシートを支持する回転可能なドラムの形態を成している。本装置のプリントヘッドはドラム内部に吊持されており、プリントヘッド支持体はプリントヘッドをドラムの回転軸に対して一定の回転の向きに保持すために使用されている。ドラムの各回転はプリント列状にマーキングを行うためのプリントヘッドを横断してシート媒体を通過する。好ましい実施例では、プリントヘッド支持体はプリントヘッドをドラムの回転軸に平行なトラックに沿って漸進的な直線運動をもたらしていて、このような各漸進的な運動は独立した回転形成プリント列状を提供するように、プリントヘッドを別異の回転面に配置する。
【０００５】
好ましい実施例では、それを通してシート媒体が挿入され、排出されるスロットを形成しており、このスロットはドラムの回転により位置決めされて、シートを隣接する供給トレイから拾いあげるかまたはシートを隣接する排紙トレイへ排出する。このような挿入および排出は、軸受装置を介してシステムシャーシと結合されている把握部材を備えた媒体漸進機構の使用により達成される。把握部材はドラムの内面に沿ってシート媒体を指し向けるために用いられるシュー部材を備えており、シュー部材はシートの先端部または末端部と結合するように構成されている。シュー部材は第１または第２の方向に移動し、シュー部材の第１の方向の移動はシートの挿入をもたらし、シュー部材の第２の方向の移動はシートの排出をもたらすことになる。ドラムの回転中、シートはシートの先端部を対向するストップ部材に対して押しつける把握部材によりドラムの内面に対して保持される。
【０００６】
【実施例】
最初に図１を参照すると、この分野における関係技術者等は本発明のシート媒体マーキング装置の好ましい実施例が描かれており、本発明の装置全体が１０で示されていることに注目されるであろう。本装置１０はシート媒体のマーキングと関連して使用することを意図しており、本装置はＰで示すような媒体の個別シートにマークするよう構成されている。関係技術者等はシートＰが実質的にはどんな形式の記録媒体をも意味するものと思われるであろうが、このシートＰは通常のレターサイズの紙シートの形をしていることを認めるであろう。従って、好ましい実施例の本装置の動作は通常のレターサイズのシートＰに関連して以下に説明するが、このシートＰはほぼ１１インチの長さＬで、ほぼ８．５  インチの幅Ｗを有している。
【０００７】
本発明に従って、本装置１０は中心軸Ａの周りを回転するように構成されているドラム１２を備えていることがわかるであろう。図示されたように、ドラム１２はその内部にプリントヘッド１４が収容されている内室１３を形成している。そのプリントヘッド１４はキャリッジ１６および一対の細長いロッド１８ａ、１８ｂを備えているプリントヘッド支持体に取り付けられている。このプリントヘッド１４と同様に、プリントヘッド支持体はドラム１２内に設置されており、支持体はプリントヘッド１４の印刷面１４ａとドラム１２の内面１２ａとの間に所定距離を維持するように配置されている。細長いスロット１２ｂがドラム１２に形成されていて紙シートＰのようなシート媒体の挿入もたらすために設けられている。このシートＰはドラム１２の内面１２ａに沿って取り込まれるが、かかる内面１２ａはプリントヘッド１４の印刷面１４ａから所定距離に支持することができるものである。内面１２ａはしたがってプラテンとして使用するのに適しており、本装置によるシートのマーキング中、プラテンとしてのものである。
【０００８】
次に特にドラム１２に重点を置くと、関係技術者等はドラム１２が好ましくは細長い円筒体の形をとり、このような円筒体は印刷すべきシートＰの最大長さよりも長いことに注目されるであろう。このドラム１２のスロット１２ｂは同様に前述した最大シート長より大きい長さを備えており、図１に示されているような方法でシートＰの横向挿入を適応させている。シートＰを挿入するには、そのシートＰを内面１２ａにより画成されている経路に沿って通す。このような表面はシートＰの通過に対する抵抗を最小限にするように滑らかになっていることが望ましい。表面１２ａは全般的に弓形であり、そして、その回転軸Ａから均等に間隙を有したプラテンを備えている半円形のものが好ましい。このような均等な間隙の重要性は後述の説明から理解されるであろう。
【０００９】
先に示したように、本装置１０は、その主要構成要素の一つとして、後述するような方法でドラム１２の内面１２ａに対して保持されているシートＰをマーキングする際に使用するドラム１２の中に吊り下げられている。好ましい実施例では、プリントヘッド１４は通常のインクジェットプリントヘッドの形をとっているが、関係技術者はシート媒体Ｐにマーキングを施すことができるどんなマーカーをも実質上使用することができることを正しく理解されるであろう。たとえば、プリントヘッド１４に代わり、レーザーまたは熱プリントヘッドを具備することも可能である。マーカーは一般にプリントヘッド１４の作動開始をこの技術分野で周知の仕方で指示する内部プロセッサ（図示せず）の制御のもとで動作する。
【００１０】
次に、図１および図２を参照すると、プリントヘッド１４が軸Ａに平行な軸に沿って移動し得ることが認められるであろう。このようなプリントヘッド１４の移動は図１から図２のプリントヘッド１４位置の変化により示される。図示されているように、プリントヘッド１４はトラック（全般に１８で示してある）に沿って移動するよう取り付けられているキャリッジ１６に取り付けられている。その好ましい形態では、トラック１８は一対の細長いロッド１８ａ、１８ｂにより形成され、それらロッドはドラム１２の内面１２ａに沿って平行に延びている。キャリッジ１６はロッドに沿って動くことが制御可能なように構成されているが、一方プリントヘッド１４を軸Ａに対して所定の回転の向きに維持している。２本のロッドが示されているが、この技術分野における関係技術者等はこのようなロッドがプリントヘッド１４に安定した支持を提供するものである限り、実質上どんな形態または本数のロッドをも使用することができることを理解されるであろう。
【００１１】
図２に示されているように、プリントヘッド１４の移動はむしろ本装置のプリントヘッド支持体の一部を形成するねじ駆動装置を介してもたらされる。図示したねじ駆動装置はプリントヘッド１４の双方向移動（１９で示したような）をもたらしている。このプリントヘッド１４はトラック１８に沿って一連の漸進的なステップで移動することができる。このような各ステップは独立したプリント列における印刷を容易しておりており、ドラム１２は更に以下に説明する仕方でプリントヘッド１４を通過して回転する。好ましい実施例では、ねじ駆動装置はキャリッジ１６のねじ穴を通してねじ付きロッド１８ａを駆動するステッパモータ２０を備えている。ロッドの回転は、トラック１８に沿ってキャリッジ１６を通過させるのに有効である。ロッド１８ｂはむしろ平滑なものであり、プリントヘッド１４を回転させることなく、キャリッジ１６の滑動走行をもたらしている。
【００１２】
次に、ドラム１２の作用に言及すると、ドラム１２は軸Ａの周りに回転するように構成されていることを思い出される筈であり、このような回転はプロセッサ制御駆動モータ２２により制御される。したがってモータ２２はプラテン駆動装置（またはドラム駆動装置）として動作することを理解すべきであり、この駆動装置は摩擦ギア２２ａにより示されているギヤ装置を経てドラム１２と実効的に結合されている。ギア２２ａはドラム１２の外面２４と係合することにより動作し、ギアの回転はドラム１２の付隋的な回転を生ずるのに有効である。図２に示されているようにドラム１２の運動は好ましくは玉軸受の形をとる軸受２６により受容される。しかし通常の滑り軸受を含むどんな形態の軸受をも同様に使用し得ることが理解されるであろう。モータ２２も同様に広範な形態を取ることができるが、好ましくは、ドラム１２の漸進的で双方向回転をもたらすような、可逆ステッパモータの形態をとる。
【００１３】
所定の印刷サイクル中、シートＰは所定のシート経路に沿って本発明の装置をを通して進み、このシートＰは２８で示されているようなシート把握部材を備えているシート前進機構により経路に沿って運ばれる。このシート把握部材（または把握部材）はシートＰ全体をドラム１２に引き込み、このシートＰは概括的に図１で矢印２９により示された方向に引かれる。上述したように、このシートＰは、その長さよりもむしろ、好ましくはその幅に沿ってドラム１２に引き込まれて、シートＰがその長さ方向に沿って引き込まれる場合（幅（Ｗ）は長さ（Ｌ）よりも短い）よりも小さいドラム１２によりシートＰ全体を支持することを可能にしている。この配置は、またプリントヘッド１４を往復させずに列をなした印刷を施してある。もしこのシートＰが長さ方向に挿入されれば、印刷は横行状ではなく縦行状に行なわれるものの、それでも本発明の精神および範囲の内にある新規な配置である。
【００１４】
印刷すべきシートＰがドラム１２の内面１２ａに対して支持されていて、かつドラム１２が回転するので、このシートＰは本装置のプリントヘッド１４の周りを連続的に回転駆動され、各回転はこのシートＰの幅を横断するプリント列を形成する。異なるプリント列を形成するためには、プリントヘッド１４は単にトラック１８に沿って移動されるだけであり、このような各移動が独立した回転形成による列を提供する。シートＰの印刷が完了したときを除き、プリントヘッド１４を往復動させることは不要である。従ってプリントヘッド１４の加速および減速は最小限に抑えられ、プリンタの処理量の増大、所要電力の減少、振動および騒音の減少をそれぞれもたらすことになる。
【００１５】
望ましいシート支持を行なうためには、ドラム１２の内円周がシートＰの幅（Ｗ）より大きく設定されるべきであり、このようなシート幅は図示した配置に対する最大シート幅を表しているものである。ドラム１２が円筒形である場合、その内円周は積２πＲで表すことができ、そのＲはドラム１２の半径である（図３を参照）。ドラム１２がスロット１２ｂを形成している場合、ドラム１２の円周はスロット１２ｂを邪魔せずにシートＰを支持するに十分大きいものであるべきである。
【００１６】
次に、シート前進機構に焦点を当て、かつ図１および図２をさらに参照すると、その機構の把握部材２８がドラム１２の内面１２ａに沿って移動するよう取り付けられ、その移動はモータ３０、摩擦ギア３０ａ、および一対のリング３２（その一方がギアにより駆動される）を備えている軸受装置を介して達成されることに注目されるであろう。図２に最も良く示されているように、本装置の把握部材は一対のリングに取り付けられており、それらリングは玉軸受２６、３４に乗っている。これら玉軸受もまた説明している軸受装置の一部を形成している。軸受２６はドラム１２および把握部材の独立した運動を許容し、軸受３４は本装置のシャーシ３８に取り付けられている一対のエンドキャップ３６に対する一対のリングの運動を許容している。この技術分野における関係技術者等は図示した軸受け装置がモータ３０およびギア３０ａを、ドラム１２を駆動しているモータ２２と組み合わせて使用するための適正なラチェット機構に置き換えることにより変更され得ることを理解されるであろう。
【００１７】
前述したように、把握部材２８は一対のリング３２に取り付けられており、その把握部材はリングの運動によりドラム１２の内面１２ａに沿って導かれる。好ましい実施例において、この把握部材は摩擦シュー２８ａおよび細長いブレード２８ｂを備えている。図１および図２を参照すると、このブレード２８ｂはドラム１２の内部を横断して長さ方向に延びており、そのブレード２８ｂの両端部が対向している各リング３２に固定されていることが認められるはずである。このブレード２８ｂは内面１２ａに沿って移動するように構成されているが、シートＰの通過を制限するようにドラム１２の内面１２ａに延在している一対の止め１２ｃを越えて、ブレード２８ｂの通過を許容するようにその内面から離れている。シュー２８ａはブレード２８ｂから伸びて、以下に説明するようにシートＰの前進する間、シートＰをドラム１２の内面１２ａに対して押し付ける。図１に最も良く示されているように、シュー２８ａは、ドラム１２に対する把握部材の回転中、シュー２８ａの通過を妨げないように一対の止め１２ｃの間の長手領域でドラム１２の内面１２ａに向かって延びている。
【００１８】
次に、シート媒体Ｐの処理量の点に注意が向けられ、そのシートＰの処理量は図３乃至図６に示されている。図３から始めると、シートＰの拾いあげ中、ドラム１２は拾いあげ方位に方向付けされ、スロット１２ｂはシートＰの取入口を提供するために対応して位置決めされていることに注目されるであろう。シートＰは入力スタックの最上部にあり、このスタックは本装置入力トレイ４２に作用するリフター４０により（図３に示すように）その公称位置の上方に持ち上げられている。作用力（矢印Ｆ）は最上部のシートＰが摩擦シュー２８ａに接触する位置にスタックを持ち上げるためのリフターに作用する力を示している。把握部材、従って、摩擦シュー２８ａはスタックからドラム１２にシートＰを引き込むように矢印４４ａにより示されている第一の回転方向にモータ３０によって移動される。最初にシートＰの先端部がシュー２８ａとシートスタックとの間にはさまれる（図３）が、シュー２８ａがドラム１２の内面１２ａ上を通過するにつれて（図４）、その内面１２ａはシュー２８ａに対して抵抗を与える。従って、図２に示すように下げられる。
【００１９】
シートＰの先端部が止め１２ｃに接触するまで図４に示されているようにそのドラム１２の内部に沿って引っ張られる。これらの止め１２ｃはシートＰの通過を阻止するように、しかし把握部材の通過を許容するように、ドラム１２の内部に延びている。従って、把握部材はシュー２８ａがシートＰの末端部に接触するまでその回転を続ける。このような接触はシートＰの先端部と末端部との間にシートＰを内面１２ａに接触させるピンチ効果をもたらしている。把握部材はシートＰの末端部に対してのみ前進し、次いでドラム１２に関連した位置でロックされることに注目すべきである。好ましい実施例において、このような回転の距離は、シートＰの末端部を認識し、対応してモータ３０（プロセッサを介して）の作動を制御し、ドラム１２に対する把握部材の運動を停止させる光センサ（図示せず）のような装置により測定される。
【００２０】
シートＰが全くドラム１２の中に引き込まれ、把握部材がドラム１２に関連した位置でロックされると、ドラム１２は図５における矢印４６で示されている方向に回転を始める。把握部材は、シートＰをドラム１２に対して所定位置に保持しながらドラム１２とともに回転する。従って、シートＰはプリントヘッド１４を中心に回転駆動され、このプリントヘッド１４はシートＰがその傍を通過するにつれてシートＰ上に回転形成されるプリント列状のマーキングを生ずるように制御される。好ましい実施例では、インクジエットプリントヘッド１４がインク（Ｉ）をシートＰ上に押し出している。
【００２１】
シートＰ全体が印刷されたのち、把握部材２８はそのドラム１２との関連から解放され、ドラム１２はの前述した方向の矢印４６と反対の方向に回転駆動されて、ドラム１２を図６に示すシート排出方位に方向付ける。このシート排出方位は、シートＰがドラム１２から排出されると出力トレイ４８に渡されるように、スロット１２ｂを配置せしめることが明らかであろう。シートＰの排出は把握部材を矢印４４ｂで示される第２の回転方向に移動させることにより達成されその第２の回転方向は把握部材の先の回転方向とは反対である。この把握部材はシートＰの末端部と係合して、シートＰをスロット１２ｂを通して出力トレイ４８の上に押し出す。
【００２２】
本発明の好ましい実施例をインクジェットプリンタに関して図示し、説明した  が、この技術分野における関係技術者等は本願発明の特許請求の範囲に記載の請求項に規定する本発明の精神および範囲から逸脱することなく、形態および細目の変更を行なうことができることを正しく理解されるであろう。
【００２３】
以上、本発明の好ましい実施例について詳述したが、ここで各実施例の理解を容易にするため、各実施例ごとに要約して列挙する。
【００２４】
１．  シート媒体（Ｐ）を支持するように構成されている回転可能なプラテン（１２）  、
シート媒体（Ｐ）にマークを生成せしめることができるマーカー（１４）、前記マーカー（１４）を所定の回転の向きに保持するように設置されているマーカー支持体（１６、１８、２０）、および
前記プラテン（１２）に接続されて動作し、前記プラテン（１２）を前記マーカー（１４）の周りに所定の回転を、従って、前記シート媒体（Ｐ）を前記マーカー（１４）の周りに所定の回転を行わせて、前記マーカー前記ぷらてん（１２）の回転により列状に画成される前記シート媒体（Ｐ）の前記マーカー（１４）  を提供するプラテン駆動装置（２２）
から構成されているシート媒体マーキング装置である。
【００２５】
２．  前記マーカー支持体（１６、１８、２０）が、前記プラテン（１２）の回転軸（Ａ）に平行なトラック（１８）に沿って前記マーカー（１４）の漸進的な運動を提供する上記１に記載の装置である。
【００２６】
３．  前記マーカー（１４）の各漸進的な運動が、独立した回転形成列を提供する上記２に記載の装置である。
【００２７】
４．  前記シート媒体（Ｐ）をそれに対応した弓形形状に支持するように構成されている弓形内面（１２ａ）を備えている回転可能なドラム（１２）、
前記ドラム（１２）の内部にあって、前記シート媒体（Ｐ）の上にマークを生ずるこができるプリントヘッド（１４）、
前記回転可能なドラム（１２）の内部に存在するプリントヘッド支持体（１６、１８２０）、
前記プリントヘッド（１４）を所定の回転の向きに保持するように配設されてい前記支持体（１６、１８、２０）、および
第１の軸（Ａ）を中心に前記ドラム（１２）に所定の回転をもたらし、従って前記プリントヘッド（１４）を中心に前記シート媒体（Ｐ）に回転をもたらし、前記ドラム（１２）の回転によりプリント列状に画成された前記シート媒体（Ｐ）のマークを提供するため前記ドラム（１２）に作動可能に接続されたドラム駆動装置（２２）、
から構成されているシート媒体マーキング装置である。
【００２８】
５．  前記プリントヘッド支持体（１６、１８、２９）が前記プリントヘッド（１４）を保持するキャリッジ（１６）  を備えており、該キャリッジ（１６）  が前記第１の軸（Ａ）に平行なトラック（１８）  に沿って漸進的に運動するように構成されている上記４に記載の装置である。
【００２９】
６．  前記キャリッジ（１６）の各漸進的な運動が、独立した回転形成プリント列を提供する上記５に記載の装置である。
【００３０】
７．  前記プリントヘッド支持体（１６、１８、２０）が、前記キャリッジ（１６）に作動的に関連して、前記トラック（１８）に沿った前記キャリッジ（１６）の運動を案内するねじ駆動装置（１８、２０）を備えている上記５に記載の装置である。
【００３１】
８．  前記ドラム（１２）が、それを通して前記シート媒体（Ｐ）が挿入され、かつ排出されるスロット（１２ｂ）を画成している上記７に記載の装置である。
【００３２】
９．  さらに前記ドラム（１２）と作動的に関連している媒体前進機構（２８、３０、３２、３４）から成り、前記媒体前進機構（２８、３０、３２、３４）が前記シート媒体（Ｐ）を把握可能な、かつ所定のシート媒体経路を経て前記シート媒体（Ｐ）を案内可能な可動シュー（２８ａ）を具備している上記８に記載の装置である。
【００３３】
１０．  前記シート媒体（Ｐ）の対応した運動を案内するため前記ドラム（１２）の内面（１２ａ）に沿った前記シュー（２８ａ）の運動を許容する軸受装置（３０、３２、３４）を介して、前記シュー（２８ａ）が前記ドラム（１２）と結合されている上記９に記載の装置である。
【００３４】
１１．  前記軸受装置（３０、３２、３４）が、前記シュー（２８ａ）の双方向運動を提供し、前記シュー（２８ａ）の第１の方向の運動は前記ドラム（１２）への前記シート媒体（Ｐ）の挿入をもたらし、第２の方向の運動は前記ドラム（１２）から前記シート媒体（Ｐ）の排出をもたらしている上記１０に記載の装置である。
【００３５】
１２．  前記ドラム（１２）が、前記シート媒体（Ｐ）の通過を制限するが、前記シュー（２８ａ）の通過を許容する止め（１２ｃ）を備えている上記１１に記載の装置である。
【００３６】
１３．  前記止め（１２ｃ）が、前記第１の方向で前記シート媒体（Ｐ）の所定の運動で前記シート媒体（Ｐ）の先端部との係合により前記シート媒体（Ｐ）の挿入を制限するように位置決めされていて、前記シュー（２８ａ）は前記止め（１２ｃ）と該シュー（２８ａ）との間で前記シート媒体（Ｐ）を緊張させるために前記シート媒体（Ｐ）の末端部に係合すべく前記第１の方向に継続した運動が可能であり、前記シート媒体（Ｐ）を前記ドラム（１２）の内面（１２ａ）に押しつけている上記１２に記載の装置である。
【００３７】
１４．  それに沿って前記シート媒体（Ｐ）が通る経路を形成し、前記マーカー（１４）およびシステムシャーシ（３８）に作動可能に取り付けられている対向シート支持プラテン（１２）を備えているシート媒体マーキング装置において、
前記シート媒体経路を横断して延在する略平面状のブレード（２８ｂ）および前ブレード（２８ｂ）から突出し、前記シート媒体経路に沿って移送される前記シート媒体（Ｐ）を把握可能な摩擦面を備えている前記シュー（２８ａ）を有する把握部材（２８）、および
前記シート媒体経路に沿って前記把握部材（２８）の運動、従って前記シート媒（Ｐ）の運動を、提供するため前記システムシャーシ（３８）と前記把握部材（２８）との間に作動可能に挿設された軸受装置（３０、３２、３４）、
から成る媒体前進機構である。
【００３８】
１５．  前記軸受装置（３０、３２、３４）が、前記シート媒体経路に沿って前記把握部材（２８）の双方向運動を提供し、第１の方向の前記把握部材（２８  ）の運動が前記プラテン（１２）の配置をもたらし、第２の方向の運動が前記プラテン（１２）から前記シート媒体（Ｐ）の除去をもたらしている上記１４に記載の装置である。
【００３９】
１６．  前記プラテン（１２）が、楕円状シート媒体経路を少なくとも部分的に制限する弓形凹面（１２ａ）により画成されており、前記プラテンが前記シート媒体（Ｐ）の通過を制限するが、前記把握部材（２８）の通過を許容する止め（１２ｃ）を備えている上記１４に記載の装置である。
【００４０】
１７．  前記止め（１２ｃ）が、前記第１の方向における前記シート媒体（Ｐ）の所定の運動で前記シート媒体（Ｐ）の先端部との係合により前記シート媒体（Ｐ）の挿入を制限するように設置決めされ、前記把握部材（２８）が前記プラテン（１２）の弓形面（１２ａ）に前記シート媒体（Ｐ）を押しつけるために前記シート媒体（Ｐ）の末端部と係合して第１の方向で所定の運動が可能である上記１６に載の装置である。
【００４１】
１８．  前記弓形プラテン（１２）が前記マーカー（１４）の周りに回転するように構成されている上記１７に記載の装置である。
【００４２】
１９．  更に、前記プラテン（１２）の回転により列状に形成されるマーキングを提供するため、その回転軸を中心にした前記プラテン（１２）の所定の回転をもたらす、従って前記プリントヘッド（１４）を中心にして前記プラテン（１２）により支持されている前記シート媒体（Ｐ）の回転をもたらすため、前記プラテン（１２）に作動可能に連結されているプラテン駆動装置（２２）を備えている上記１８に記載の装置である。
【００４３】
２０．  更に、前記マーカー（１４）を所定の回転の向きに保持するが、前記プラテン回転軸（Ａ）に平行な軸に沿う漸進的な運動を許容するように配設されている前記マーカー支持体（１６、１８、２０）を備えており、前記マーカー（１４）の各漸進的運動が独立した列で前記シート媒体（Ｐ）のマークを提供している上記１９に記載の装置である。
【００４４】
【発明の効果】
この技術分野の関係者等により理解されるように、本発明のシート媒体マーキング装置は、それがプリンタ、複写機、もしくは他のシートマーキング装置におけるものであろうと、シート媒体のマーキング用として低価格の解決方法を提供している。この装置はこれまで既知の装置に比較してシート媒体の処理量の増大、所要電力の減少、振動および騒音の減少をもたらす。この装置はこれらの改良を本装置のマーカーの往復動を最小限にすることにより、所定のシートへの印刷中、マーカーを単一方向に移動させるだけでよい配置を提供する。
【図面の簡単な説明】
【図１】本発明のシートマーキング装置の簡略した等角投影法による斜視図であり、シート媒体の取り入れ、および拾いあげ中の装置を示してあり、この装置は特許請求の範囲に記載されているような構成要素を良く図示すべく一部破断されている。
【図２】図１に示されている本装置の断面立面図であり、この断面は本装置の回転可能なドラムの回転軸を通過する平面に沿って、概括的に取り出されている。
【図３】図１の本装置の側面立面図であり、本装置はシート媒体の初期取り入れ状態を描いている。
【図４】図３のものと同様の断面側面図であり、本装置は初期取り入れ後のシートのドラム挿入状態を描いてある。
【図５】図３、および図４と同様の断面側面図であり、本装置は挿入されたシートのマーキング状態を描いてある。
【図６】図３、４、および図５におけるような断面側面図であり、印刷済シートを排出中の装置を描いてある。
【符号の説明】
１０  シート媒体マーキング装置
１２  回転可能なプラテン（ドラム）
１２ｂ  スロット
１８  トラック
１８ａ  ロッド
１８ｂ  ロッド
１６  キャリッジ
２０  ステップモータ
２２  プラテン駆動装置（モータ）
２２ａ  ギア
２６  軸受
２８  シート把握部材
２８ａ  可動シュー
２８ｂ  ブレード
３０  モータ
３２  リング
３４  軸受
３６  エンドキャップ
３８  シャーシ
【図１】
0003563471.tif 000002
【図２】
0003563471.tif 000003
【図３】
0003563471.tif 000004
【図４】
0003563471.tif 000005
【図５】
0003563471.tif 000006
【図６】
0003563471.tif 000007